(57)【要約】【課題】可動体付き入賞装置の回転体の回転不能に伴うトラブルを未然に防止する。【解決手段】可動体付き入賞装置２０の回転体の回転不能状態か否かを検出する回転体定位置検出スイッチ９５と、回転体８３の回転不能状態の継続時間をカウントするエラータイマとを設け、回転体８３の回転不能状態が一定時間以上経続すると、特定入賞口入賞検出スイッチ、大入賞口入賞検出スイッチ、特別装置作動領域通過検出スイッチ等の各機能を停止させる機能停止信号が出力される。【選択図】　　　図４
2004000666.tif 000002
【特許請求の範囲】
【請求項１】
遊技盤に装着された可動体付き入賞装置の可動体が正常可動状態か不動状態かを検出する検出手段と、前記可動体の不動状態が一定時間以上継続したか否かを判定する判定手段と、この判定手段の判定結果に基づいて前記可動体の異常に対処する機能停止手段とを設けたことを特徴とするパチンコ機。
【発明の詳細な説明】
【０００１】
【発明の属する技術分野】
この発明は可動体付き入賞装置が遊技盤に装着されたパチンコ機に関する。
【０００２】
【従来の技術】
可動体付き入賞装置を備えたパチンコ機ではその入賞装置の入賞口に入賞した入賞球は可動体によって特別入賞域若しくは通常入賞域へ分配される。
【０００３】
【発明が解決しようとする課題】
本発明は回転体等の可動体を備えた入賞装置が遊技盤に装着されたパチンコ機において、可動体が球噛み等の原因によって不動状態となって可動体付き入賞装置の機能が停止したときにその機能停止に伴うトラブルを未然に防止することを課題とするものである。
【０００４】
【課題を解決するための手段】
本発明のパチンコ機は遊技盤に装着された可動体付き入賞装置の可動体が正常可動状態か不動状態かを検出する検出手段と、前記可動体の不動状態が一定時間以上継続したか否かを判定する判定手段と、この判定手段の判定結果に基づいて前記可動体の異常に対処する機能停止手段とを設けた構成を有する。
【０００５】
遊技盤に装着された可動体付き入賞装置の可動体が正常可動状態か不動状態かが検出手段によって検出され、前記可動体の不動状態が一定時間以上継続すると、可動体が判定手段によって異常と判定され、可動体が異常と判定されると、機能停止手段がその異常に対処する機能停止信号を出力する。
【０００６】
【発明の効果】
本発明は前記したように構成してあるので、可動体の動きの停止による異常を的確に感知してその異常事態に対処することができ、可動体の異常によって引起されるトラブルを未然に防止することができる。
【０００７】
【発明の実施の形態】
次に、本発明の実施の形態について図面に従って説明する。
パチンコ機の本体枠１の木枠の下端には遊技者によって回転操作されるハンドル２が下皿４Ｂに隣接して軸支され、ハンドル２を時計回りに回転操作することによってパチンコ球が１分間に１００個以内の速度で遊技盤３の遊技盤面３ａに向けて１個づつ発射される。
【０００８】
本体枠１の裏側でハンドル２の後方には発射装置制御基板５と、発射モータ６とが設置され、また、ハンドル２の斜め上方には遊技者によってパチンコ球の発射と発射停止とに切換え操作される発射装置停止ボタン７が配設されている。
【０００９】
本体枠１の金枠８の右下コーナ部の後方には金枠８の不正開放を検出する金枠検出スイッチ９が配設され、本体枠１の上横枠部には金枠検出スイッチ９が金枠８の開放を検出したときに点灯する金枠開放表示灯１０が配設されている。
【００１０】
本体枠１の上枠部および右縦枠部には当り表示灯１１が配設され、遊技盤３の上部には賞品球払い出し兼賞品球切れ表示灯１２が配設されている。
【００１１】
賞品球払い出し兼賞品球切れ表示灯１２は球タンク１３内のパチンコ球の欠乏が賞品球切れ検出スイッチ１４によって検出されたときに点灯し、また、賞品球が払い出されるときに点灯する。
【００１２】
本体枠１の片側の縦枠部の裏側には賞品球ケース１５ａと、左球止め片１５ｂと、右球止め片１５ｃと、右昇降板駆動ソレノイド１５ｄと球抜き放出弁１５ｅと、賞品球放出弁１５ｆとを有し、６個若しくは１３個のパチンコ球を上皿４Ａ上へ払い出す賞品球払い出し装置１５が設置されている。
【００１３】
賞品球払い出し装置１５ａ下方には賞品球払い出し検出スイッチ１６ａと、球切りカム１６ｂと、賞品球払い出しモータ１６ｃとを有する払い出し起動装置１６が設置され、この払い出し起動装置１６の下方および内方には防犯基板１７および賞品球払い出し禁止スイッチ１８が設置されている。
【００１４】
遊技盤３の裏側にはＣＰＵ，ＲＯＭ，ＲＡＭ，クロック回路，リセット回路を含む中央制御基板３１が収容された基板ボックス１９が設置されている。
【００１５】
遊技盤３の遊技盤面３ａの中央部には可動体付き入賞装置２０が装着され、可動体付き入賞装置２０の直上には天入賞口２１ａを有する天入賞装置２１と、特定入賞口２３を有する普通電動役物２２と、特定入賞口入賞検出スイッチ３０ａを備えたゲート３０とが上から順に配列さている。
【００１６】
可動体付き入賞装置２０の直下には普通電動役物作動スイッチ２４ａを備えたゲート２４と、大入賞口２６を有する大入賞装置２５とが上下に隣り合って設置されている。
【００１７】
可動体付き入賞装置２０の両側方には左右の上入賞口２７ａを有する左上入賞装置２７Ａおよび右上入賞装置２７Ｂが設置されている。
【００１８】
大入賞装置２５の両側方にはそれぞれ始動口２８ａおよび始動口入賞検出スイッチ２８ｂを有する左始動入賞装置２８Ａおよび右始動入賞装置２８Ｂが設置されている。
【００１９】
両始動入賞装置２８Ａ，２８Ｂの斜め上外方には左右の下入賞口２９ａを有する左下入賞装置２９Ａおよび右下入賞装置２９Ｂが設置されている。
【００２０】
遊技盤面３ａの上部に配設された左右１対のランプ風車５８内および普通電動役物２２内にはそれぞれＡ表示灯３２が装入されている。
【００２１】
天入賞装置２１内と、両上入賞装置２６Ａ，２６Ｂ内と、ゲート２４内とにはそれぞれＢ表示灯３３が装入されている。
【００２２】
可動体付き入賞装置２０内および両下入賞装置２９Ａ，２９Ｂ内にはそれぞれＣ表示灯３４が装入されている。
【００２３】
両始動入賞装置２８Ａ，２８Ｂ内にはそれぞれＤ表示灯３５が装入され、遊技盤面３ａの右端部に結合された装飾カバー３９内には複数個のＥ表示灯３６が装入されている。
【００２４】
遊技盤面３ａの上下方向中央部の左右端部付近に装着された左右１対のランプカバー４０内にはそれぞれ１個のＦ表示灯３７と上下１対のＧ表示灯３８とが装入されている。
【００２５】
普通電動役物２２には遊技盤面３ａにビス止めされて下部に左右１対の通し孔２２ｄが貫設された基片２２ａが形成され、この基片２２ａと、その前方にパチンコ球約１個分の間隙を隔てて垂立された前板２２ｂとは基板２２ａの下端と前板２２ｂの下端との間に橋架された左右１対の連結片２２ｃによって連結されている。
【００２６】
基片２２ａと前板２２ｂとの間にはこの基片２２ａおよび前板２２ｂに内外方向への搖動可能に軸支され、通し孔２２ｄを貫通して後方へ延出された伝動部４４ａが下端にそれぞれ形成された左右１対の可動翼片４４が設置され、この両可動翼片４４間には両可動翼片４４の搖動動作によって開閉される特定入賞口２３が開設されている。
【００２７】
基片２２ａの後面には後方へ水平状に延出された左右１対の支持片２２ｅが連接され、この両支持片２２ｅに左右方向に沿って水平状に貫挿された支軸４１には可動翼片４４の連動部４４ａが係合された左右１対の係合部４２ａが先端に形成された駆動片４２が搖動可能に支持されている。
【００２８】
両支持片２２ｅの後端には駆動片４２の上端部を押動および解放して両可動翼片４４を相反方向へ搖動させ、特定入賞口２３を開閉する特定入賞口開放ソレノイド４３が前向き状に結合されている。
パチンコ球がゲート２４を通過すると、普通電導役者作動スイッチ２４ａが検出信号を出力して特定入賞口開放ソレノイド４３が励磁され、プランジャ４３ａが退動して駆動片４２の係合部４２ａが上方へ搖動し、両可動翼片４４がそれぞれ外方へ搖動して特定入賞口２３が０．４秒間開放される。但し、特定入賞口２３の開放中にパチンコ球がゲート２４と通過しても特定入賞口２３は再度開放されない。
【００２９】
基片２２ａの後側に設置されたランプ基板４５には基板２２ａの上部をその後方から照射する左右１対のＡ表示灯３２が取付けられている。
【００３０】
大入賞装置２５において、遊技盤面３ａにビス止めされた基枠４７には遊技盤面３ａに添接されて垂立された前壁板４７ａが形成され、この前壁板４７ａの上部には横長の方形孔状の大入賞口２６が開口されるとともに、前壁板４７ａの下部には半透明合成樹脂製のレンズ板５４が嵌め込まれた楕円孔状のＬＥＤ窓５５が開口されている。
【００３１】
基枠４７の上部には大入賞口２６の開口縁で前壁板４７ａの後面に連接されて前壁板４７ａの後方へ突出された角筒状の球受けケース４７ｂが形成されている。
【００３２】
基枠４７の中央部には大入賞口２６の開口縁の左右下端部に前後方向への搖動可能に支持されて大入賞口２６を開閉する可動扉４８が設置されている。
【００３３】
可動扉４８には後方の搖動端で大入賞口２６内に嵌め込まれて大入賞口２６を閉鎖し、前方の搖動端で大入賞口２６を開放して大入賞口２６の前方で前上り状に傾倒する扉板４８ａと、この扉板４８ａの後面の左右端部にそれぞれ連接されて後方へ突出された左右１対の側板４８ｂとが形成されている。
【００３４】
基枠４７の前壁板４７ａの前面の上部には大入賞口２６の両側に左右対称状に設置されて半透明の合成樹脂材で中空状に成形された左右１対の装飾レンズ４９がビス止めされ、この両装飾レンズ４９の上下端面および内側面はそれぞれ平面状に形成され、両装飾レンズ４９の前面および外側面は複数個の凸円弧面を上下方向へ連続的に配列した形状にそれぞれ形成され、この両装飾レンズ４９内には基枠４７の前壁板４７ａにビス止めされたＬＥＤ基板に取付けられて装飾レンズ４９をその内部から照射する上下１対の装飾ＬＥＤ５２がそれぞれ装入されている。
【００３５】
基枠４７の球受けケース４７ｂの後端にはこの球受けケース４７ｂの後端の開口部を閉塞した状態で垂立され、透明合成樹脂材で成形された後壁板５０が結合され、この後壁板５０の一端には大入賞口２６内に落入した入賞球が通り抜ける球通し口５０ａが逆Ｕ形状に開口されるとともに、後壁板５０の後面には球通し口５０ａの開口縁の後方へ突出されて逆Ｕ形状の縦断面形状を有し、後端が蓋板５０ｃで閉塞された球通路壁５０ｂと、この球通路壁５０ｂの内下端縁に連接されて内方へ水平状に延出された上スイッチ把持片５０ｃと、この上スイッチ挟持片５０ｃの下方に並行状に設置された下スイッチ挟持片５０ｄと、後壁板５０の反球通し口側端部に配設されたソレノイド取付け枠５０ｅと、このソレノイド取付け枠５０ｅの両側で後方へ水平状に延出された３個の取付け棒５０ｆとが連接されている。
【００３６】
後壁板５０の上下スイッチ挟持片５０ｃ，５０ｄ間には大入賞口２６内に落入して基枠４７の球受けケース４７ｂ内に転落し、後壁板５０の球通し口５０ａを通り抜けて球通路壁５０ｂ内へ転動した入賞球を検出する大入賞口入賞検出スイッチ５１が挟持されている。
【００３７】
後壁板５０のソレノイド取付け枠５０ｅ内には各取付け棒５０ｆの後端面にビス止めされた押え板５２と後壁板５０との間に挟み込まれた状態で、後壁板５０の後側に下向き状に設置された大入賞口開放ソレノイド５３の前端部が嵌め込まれている。
【００３８】
大入賞口開放ソレノイド５３はスプリング５３ｂで下方へ付勢されたプランジャ５３ａを備え、プランジャ５３ａの先端に形成されたフランジ５３ｃには後壁板５０に上下スライド可能に貫挿されて可動扉４８とプランジャ５３ａとを連動可能に連繋する伝動片６２の基端部が取外し可能で共同上下動可能に結合されている。
【００３９】
伝動片６２の先端部には可動扉４８の一方の側板４８ｂの外側面に突設された連動ピン４８ｃが係合された係合部６２ａが形成され、大入賞口開放ソレノイド５３が励磁されてプランジャ５３ａが上方へ退動すると、伝動片６２が上動し、可動扉４８の扉板４８ａが前方へ傾倒して大入賞口２６が開放される。大入賞口開放ソレノイド５３が消磁されてプランジャ５３ａがスプリング５３ｂの弾発力によって下方へ進動すると、伝動片６２が下動して可動扉４８の扉板４８ａが起立し、大入賞口２６が閉鎖される。
【００４０】
後壁板５０の上下１対の取付け棒５０ｆの後端面に押え板５２とともに結合されたランプ基板５６には後壁板５０の中央部をその後方から照射するＥ表示灯３７が取付けられている。
【００４１】
基枠４７のＬＥＤ窓５５の後方に垂立されたＬＥＤ基板５７の左部には両始動入賞装置２８Ａ，２８Ｂの始動口２８ａに入賞した入賞球数を表示する始動口入賞数表示ＬＥＤ５９が設置され、ＬＥＤ基板５７の右部には大入賞口２６に入賞した入賞球数の表示が可能な大入賞口入賞数表示ＬＥＤ６０が設置され、この両ＬＥＤ５９，６０の表示図柄はレンズ板５４を通してそれぞれ映し出される。
【００４２】
可動体付き入賞装置２０において、半透明合成樹脂材で成形されて遊技盤面３ａにビス止めされた入賞ケース６５の前端には中央部にほぼ円形状の開口部６６ａが開口されて上端の左右方向中央部に球導入口６６ｂが開口され、遊技盤面３ａに沿って垂立された前枠板６６が形成されている。
【００４３】
入賞ケース６５の前枠板６６の後側には開口部６６ａの開口縁に連接されて後方へ突出された円筒状の周壁６７ａと、この周壁６７ａの後端縁に周縁部が連接され、前枠板６６の後方にパチンコ球の外径より若干大きい間隔をおいて垂立された円盤状の奥壁６７ｂとを有する球受け部６７が形成され、周壁６７ａの外側面および奥壁６７ｂの後面には透過光を拡散させる微細な凹凸がそれぞれ形成されている。
【００４４】
球受け部６７の奥壁６７ｂの中心部には軸挿孔６７ｃが貫設され、奥壁６７ｂの上端には若干横長の楕円孔状の特別球通し口６８が開口され、奥壁６７ｂの上部で特別球通し口６８の斜め下方には傾斜した楕円孔状で特別球通し口６８とほぼ等形状の通常球通し口６９が開口されている。
【００４５】
特別球通し口６８の中心と球受け部６７の奥壁６７ｂの中心とを結ぶ線分の長さは通常球通し口６９の中心と奥壁６７ｂ中心とを結ぶ線分の長さより短縮され、特別球通し口６８は通常球通し口６９より奥壁６７ｂの中心に接近した位置に配設されている。
【００４６】
入賞ケース６５の上端には前端縁が前枠板６６の球導入口６６ｂの開口縁の下部に連接された状態で特別球通し口６８上に後方へ若干後上り状に設置され、凹円弧状の断面形状を有する球受け樋７０が形成されている。
【００４７】
普通電動役物２２の特定入賞口２３の開放中に特定入賞口２３に落入してその直下へ落下し、ゲート３０の球受口に落入する。そして、ゲート３０が入賞球を遊技盤３の裏側へ誘導するように形成されている場合にはゲート３０を通り抜けた入賞球はゲート３０によって遊技盤３の裏側へ誘導され、球受け樋７０によって受止められて前方へ誘導され、球導入口６６ｂ内に導入される。
【００４８】
入賞ケース６５の球受け部６７の奥壁６７ｂの後面には特別球通し口６８と通常球通し口６９とを仕切った状態で垂立されて上端縁が球受け樋７０の一側縁に連接された仕切り板７の前端縁と、特別球通し口６８の下端縁の後方に外方へ先下り状に傾斜して設置され、内端縁が仕切り板７１の下部に連接された上樋板７２の前端縁と、通常球通し口６９の下端縁の後方に外方へ先下り状に傾斜して設置され、内端縁が仕切り板７１の下端縁に連接された下樋板７３の前端縁とが連接されている。
【００４９】
入賞ケース６５の上樋板７２上には特別球通し口６８内に導入された入賞球が通過する特別装置作動領域７５が特別球通し口６８の後方から上樋板７２の先端縁上にわたって先下り状に形成されている。
【００５０】
特別装置作動領域７５の外端付近には奥壁６７ｂの後側に垂立されて特別装置作動領域７５を通り抜ける各入賞球を検出する特別装置作動領域通過検出スイッチ（近接スイッチ）７６の検出口が設置されている。
【００５１】
入賞球が特別装置作動領域７５を通過すると、特別装置作動領域通過検出スイッチ７６が検出信号を発信して特別装置が作動する。特別装置の作動中にパチンコ球が始動入賞装置２８Ａ，２８Ｂの始動口２８ａに入賞すると、大入賞口開放ソレノイド５３が励磁されて大入賞口２６が９．８秒間開放されてから閉鎖される。
【００５２】
大入賞口２６の開放中にパチンコ球が大入賞口２６に入賞すると、１３個のパチンコ球が払い出され、パチンコ球がその他の入賞口２１ａ，２３，２７ａ，２８ａ，２９ａに入賞すると６個のパチンコ球が払い出される。
【００５３】
大入賞口２６の開放中に大入賞口２６に入賞した入賞球が大入賞口入賞検出スイッチ５１によって１０個カウントされると、その時点で大入賞口開放ソレノイド５３が消磁されて大入賞口２６が閉鎖される。
【００５４】
特別装置の作動中にパチンコ球が始動入賞装置２８Ａ，２８Ｂの始動口２８ａに１６個入賞したとき、若しくは、入賞球が再度特別装置作動領域７５を通過したときには特別装置が作動を停止し、特別装置作動前の状態に復元する。大入賞口２６の開放中に特別装置の作動が停止した場合には大入賞口２６は残り時間分開放されてから閉鎖される。
【００５５】
通常球通し口６９の後側には通常球通し口６９を通り抜けた入賞球が通行する球通路が形成され、この球通路を通り抜けて下方へ転落した入賞球は遊技盤３の下部で可動体付き入賞装置２０の斜め下方に設置された特別装置作動領域外通過検出スイッチ７８によって検出される。
【００５６】
入賞ケース６５の前枠板６６の前面には透明合成樹脂材で成形された球誘導ケース８０がビスによって結合され、この球誘導ケース８０には上端が切離された二重円筒状の胴壁部８０ａが形成され、この胴壁部８０ａの両上端縁に連接されて上方へ突出された左右１対の突縁８０ｂ間には前記球導入口６６ｂの前側に隣設されてゲート３０の球受口の直下に配設された球受口８１が開設され、この球受口８１の前端は両突縁８０ｂの前端縁に連接されて胴壁部８０ａの前端縁上に垂立された蓋片８０ｃによって閉塞されている。球受口８１はゲート３０が入賞球を球受口の直下へ流下させるように形成されている場合、および可動体付き入賞装置２０をゲート３０から離れた位置に独立状態で設置する場合に入賞球を受入れるために開設されている。
【００５７】
球誘導ケース８０の胴壁部８０ａの外筒壁の内壁面には周方向へ配列された多数個の微細な突条が形成され、胴壁部８０ａの内筒壁の上部の内壁面は後方へ曲率半径が漸減する円錐面状に形成されている。
【００５８】
球誘導ケース８０の胴壁部８０ａの下半部の前端縁には下部の形状が半円形で上部の形状が下部の円形の大きさより縮小された大きさを有する半円形となった前壁板８０ｄの周縁部が連接され、この前壁板８０ｄの後面の中央部には上方へ凸円弧状に湾曲した正面形状を有し、入賞ケース６５の中心に向って突出された棚板８０ｅが連接されている。
【００５９】
入賞ケース６５の球受け樋７０上へ転落して球導入口６６ｂを通り抜けた各入賞球若しくは球受口８１に落入した入賞球は球誘導ケース８０内へ落入して棚板８０ｅに衝突し、棚板８０ｅによってその左方若しくは右方へ振り分けられて胴壁部８０ａの内壁面によって誘導され、誘導ケース８０内の下端部へ集中的に転落する。
【００６０】
入賞ケース６５の中心部には球受け部６７内に装入されて奥壁６７ｂの前側に隣設された球送り体８４と、この球送り体８４の中心部に前端部が結合されて球受け部６７の軸挿孔６７ｃ内にブッシュを介して回転可能に貫挿された支軸８５とを有する回転体（可動体）８３が回転駆動可能に設置されている。
【００６１】
回転体８３の球送り体８４にはそれぞれ１個のパチンコ球の受入れが可能なほぼＵ形状の断面形状を有し、周方向へ等間隔で配列されて球誘導ケース８０内の下端へ転落した入賞球が択一的に導入される１つの特別球受部８６および５つの通常球受部８７が凹設され、特別球受部８６の深さは各通常球受部８７の深さより若干増大されている。
【００６２】
球受口８１を通り抜けて球誘導ケース８０内の下端へ転落した入賞球のうち、特別球受部８６内へ導入された入賞球は、各通常球受部８７内へ導入された入賞球より回転体８３の回転中心に接近した位置で同回転中心の回りを特別球受部８６とともに旋回し、旋回途中で入賞ケース６５の通常球通し口６９の前側を通り過ぎて特別球通し口６８内へその正面位置から送り込まれる。
【００６３】
球誘導ケース８０内の下端へ転落した入賞球のうち、各通常球受部８７内へ導入された入賞球は、特別球受部８６内へ導入された入賞球より回転体８３の回転中心から離れた位置で同回転中心の回りを通常球受部８７とともに旋回し、通常球通し口６９の正面へ旋回した時点で通常球通し口６９内へ送り込まれる。
【００６４】
入賞ケース６５の前枠板６６の後面に連接されて後方へ並行状に延出された複数個の取付け棒８９の後端には前枠板６６の後方に垂直状に設置された後壁板９０がビスによって結合され、この後壁板９０には後壁板９０の背後に隣接して設置されたモータベース９１がビスによって結合され、このモータベース９１の後面には回転体駆動モータ９２が前向き状にビス止めされている。
【００６５】
後壁板９０の中心部には前部が回転体８３の支軸８５の後端に共転可能に結合されて後部が回転体駆動モータ９２の出力軸９２ａに共転可能に結合された円筒状の軸部９３ａと、この軸部９３ａの後端に連接されて後壁板９０とモータベース９１との間に設置された円板状のスイッチ作動板９３ｂとを有し、回転体８３と回転体駆動モータ９２とを連結する連結軸９３の軸部９３ａが貫挿され、スイッチ作動板９３ｂの周縁部付近にはその半径方向に沿って切り込まれた被感知用のスリット９４が形成されている。
【００６６】
回転体駆動モータ９２はパチンコ機の電源投入時に起動され、回転体駆動モータ９２が回転駆動されると、回転体駆動モータ９２の出力軸９２ａの回転が連結軸９３を介して回転体８３に伝達されて回転体８３が連結軸９３とともに１分間に２０回転、３秒間に１回転の回転速度で時計回りに定速回転する。
【００６７】
後壁板９０の後面の下端には連結軸９３のスイッチ作動板９３ｂの周縁が挿通された検出溝９５ａを有し、回転体８３の１回転毎にパルス信号を出力する回転体定位置検出スイッチ（フォトインタラプタ）９５がビスによって取付けられている。
【００６８】
回転体８３の特別球受部８６が特別球通し口６８の正面位置へ旋回したときに連結軸９３のスリット９４が回転体定位置検出スイッチ９５の検出溝９５ａ内へ進入して特別球受部８６の定位置が検出され、回転体８３が３秒間に１回転する毎にスリット９４が回転体定位置検出スイッチ９５の検出溝９５ａ内を通過して回転体定位置検出スイッチ９５が３秒間に１回パルス信号を発信する。
【００６９】
後壁板９０の下部にビス止めされたランプ基板９６には入賞ケース６５の球受け体６７の奥壁６７ｂの下部をその後方から照射するＣ表示灯３４が接続されている。
【００７０】
モータベース９１にはその後側に回転駆動モータ９２を避けた状態で垂立された中継基板９６がビス止めされ、この中継基板９６には特別装置作動領域通過検出スイッチ７６、回転体駆動モータ９２、回転体定位置検出スイッチ９５、Ｃ表示灯３４にそれぞれリード線を介して接続された各コネクタが着脱可能に結合された複数個のコネクタ９７が取付けられている。
【００７１】
中央制御回路基板３１の中央制御回路はＣＰＵと、ＲＯＭと、ＲＡＭと、クロック回路、リセット回路とを備えるとともに、中央制御回路は大入賞口入賞検出スイッチ５１、回転体定位置検出スイッチ９５、特別作動領域外通過検出スイッチ７８、特別作動領域通過検出スイッチ７５、左右始動口入賞検出スイッチ２８ｂ、普通電動役物作動スイッチ２４ａ、普通電動役物入賞検出スイッチ３０ａ、賞品球払出し検出スイッチ１６ａの各出力信号が入力されるスイッチ検出部を備えている。
【００７２】
中央制御回路基板３１のＣＰＵには装飾ＬＥＤ５２にオンオフ信号を出力する装飾ＬＥＤ表示部と、大入賞口入賞数表示ＬＥＤ６０にオンオフ信号を出力する大入賞口入賞数表示ＬＥＤ表示部と、始動口入賞数表示ＬＥＤ５９にオンオフ信号を出力する始動口入賞数表示ＬＥＤ表示部と、普通電動役物開放ソレノイド４３にオンオフ信号を出力するソレノイド駆動部と、大入賞口開放ソレノイド５３にオンオフ信号を出力するソレノド駆動部と、右昇降板駆動ソレノイド１５ｄにオンオフ信号を出力するソレノイド駆動部と、回転体駆動モータ９２にオンオフ信号を出力するモータ駆動部と、Ａ，Ｂ，Ｃ，Ｄ，Ｅ，Ｆ，Ｇ表示灯３２，３３，３４，３５，３６，３７，３８にオンオフ信号を出力する表示灯駆動部と、スピーカにオンオフ信号を出力する効果音駆動回路と、防犯基板１７のリレーにオンオフ信号を出力するリレー駆動回路とが接続されている。
【００７３】
次に、中央制御回路の表示灯駆動部、装飾ＬＥＤ表示部、大入賞口入賞数表示ＬＥＤ表示部、始動口入賞数表示ＬＥＤ表示部の作動態様について説明すると、パチンコ球がゲート２４を通過した時点から、特定入賞口２３の閉鎖時から２秒後までの間はＡ表示灯３２とＢ表示灯３３とが０．５１２秒の間隔で交互に点滅する。
【００７４】
パチンコ球が特定入賞口２３に入賞すると、Ａ表示灯３２およびＣ表示灯３４と、Ｂ表示灯３３とが０．５１２秒の間隔で２秒間交互に点滅する。
【００７５】
入賞球が特別装置作動領域７５を通過して特別装置が作動すると、特別装置の作動開始時から６秒間は、Ａ表示灯３２が点灯し、Ｂ表示灯３３とＣ表示灯３４とが０．５１２秒の間隔で交互に点滅し、Ｄ表示灯３５、Ｅ表示灯３６、Ｇ表示灯３８、当り表示灯１１と、Ｆ表示灯３７とが０．２５６秒の間隔で交互に点滅し、装飾ＬＥＤ５３が０．２５６秒間隔でＤ表示灯３５と交互に点滅する。
【００７６】
特別装置の作動中で大入賞口２６の閉鎖時には、Ａ表示灯３２，Ｃ表示灯３４，Ｆ表示灯３７とＢ表示灯３３，Ｇ表示灯３８とが１．０２４秒の間隔で交互に点滅し、Ｄ表示灯３５、当り表示灯１１とＥ表示灯３６とが０．５１２秒の間隔で交互に点滅し、装飾ＬＥＤ５３が１．０２４秒の間隔でＡ表示灯３２と交互に点滅する。
【００７７】
特別装置の作動中で大入賞口２６の開放時には、Ａ表示灯３２，Ｃ表示灯３４とＢ表示灯３３とが０．５１２秒の間隔で交互に点滅し、Ｄ表示灯３５，Ｅ表示灯３６，Ｇ表示灯，当り表示灯１１と、Ｆ表示灯３７とが０．２５６秒の間隔で交互に点滅し、装飾ＬＥＤ５３が０．２５６秒の間隔でＤ表示灯３５と交互に点滅する。
【００７８】
始動口入賞数表示ＬＥＤ５９および大入賞口入賞数表示ＬＥＤ６０は、電源投入時、賞品球払い出し時、特定入賞口開放時、特定入賞口入賞時、特別装置作動開始時から６秒間は（−）を点灯表示する。
【００７９】
始動口入賞数表示ＬＥＤ５９は特別装置作動中、始動口２８ａへの入賞数を点灯表示し、大入賞口入賞数表示ＬＥＤ６０は特別装置作動中大入賞口閉鎖時には（Ｏ）を点灯表示し、大入賞口開放時には大入賞口２６への入賞数を点灯表示する。
【００８０】
大入賞口入賞数表示ＬＥＤ６０は、大入賞口入賞検出スイッチ５１が断線、短絡および位置ずれによって異常となり、ＲＡＭのエラーフラグの値が１および２となったときには（Ｅ１）を点灯表示し、賞品球払い出し検出スイッチ１６ａが断線、短絡によって異常となってエラーフラグの値が３となったときに（Ｅ２）を点灯表示し、また、回転体が回転不能となってエラーフラグの値が４となったときに（Ｅ３）を点灯表示する。
【００８１】
始動口入賞数表示ＬＥＤ５９はエラーフラグの値が１，２，３，４となったときに何れも（Ｅ）を点灯表示する。
【００８２】
また、大入賞口入賞検出スイッチ５１、賞品球払い出し検出スイッチ１６ａ、回転体駆動モータ９２が異常となってエラーフラグの値が１，２，３，４となったときにはスピーカが異常音を出力する。
【００８３】
次に、大入賞口入賞検出スイッチ５１、賞品球払い出し検出スイッチ１６ａ、回転体駆動モータ９２に異常が発生した場合の処理態様について説明する。
【００８４】
大入賞口入賞検出スイッチ５１の断線、短絡による異常発生時にはＲＡＭのエラーフラグに１の値がセットされ、大入賞口検出スイッチ５１の位置ずれによる異常発生時にはエラーフラグに２の値がセットされ、賞品球払い出し検出スイッチ１６ａの断線、短絡、位置ずれによる異常発生時にはエラーフラグに３の値がセットされ、回転体駆動モータ９２の回転不能による異常発生時にはエラーフラグに４の値がセットされる。
【００８５】
大入賞口入賞検出スイッチ５１の断線、短絡状態が２秒以上続くと、異常と判定されてエラーフラグに１の値がセットされ、ＲＡＭの特定のレジスタに第１エラータイマのアドレスがセットされて第１エラータイマのカウント値に基づいて大入賞口２６の開放前、開放後共に異常発生時から２秒経過した時点で第２エアータイマのカウント数に基づいてＣＰＵが機能停止信号を出力する。
【００８６】
大入賞口２６の開放中にパチンコ球が１個も入賞しなかったときには大入賞口入賞検出スイッチ５１の位置ずれによる異常と判定されて大入賞口２６の閉鎖時から２秒後にエラーフラグに２の値がセットされ、前記レジスタに第２エラータイマのアドレスがセットされて第２エラータイマのカウント数に基づいてＣＰＵが機能停止信号を出力する。
【００８７】
エラーフラグ１および２の値がセットされた状態で機能停止信号が出力されると、この機能停止信号によって両始動入賞装置２８Ａ，２８Ｂ、普通電動役物２２、大入賞装置２５、ゲート２４および特別装置作動領域通過検出スイッチ７６の各機能が一斉に停止する。
【００８８】
大入賞口入賞検出スイッチ５１の断線、短絡状態を修復して異常原因を取除くと、エラーフラグがクリヤされて、ＲＡＭが異常状態検出時の状態に復旧し、また、位置ずれした大入賞口入賞検出スイッチ５１を正規の位置に戻して異常原因を取除き、パチンコ球を１個通過させると、ＲＡＭが異常状態検出時の状態に復旧する。
【００８９】
賞品球払い出し検出スイッチ１６ａの断線、短絡状態が４秒以上続いたときには異常と判定されて大入賞口入賞数表示ＬＥＤ６０に（Ｅ２）と表示されかつ前記レジスタに第３エラータイマのアドレスがセットされて賞品球の払い出し前、払い出し後共に異常発生後４秒経過した時点で第３エラータイマのカウント数に基づいてＣＰＵが機能停止信号を出力し、両始動入賞装置２８Ａ，２８Ｂ、普通電動役物２２、大入賞装置２５、ゲート２４、特別装置作動領域通過検出スイッチ７６および賞品球払い出しモータ１６ｃの各機能が一斉に停止する。
【００９０】
賞品球払い出し検出スイッチ１６ａの断線、短絡状態を修復すると、エラーフラグがクリヤされて賞品球払い出し検出スイッチ１６ａがリセットされ、ＲＡＭが異常状態検出時の状態に復旧する。
【００９１】
回転体８３の回転停止状態の検出は１回転毎、本実施例では回転体８３の１回転８３の１回転に要する時間すなわち３秒毎に回転体定位置検出スイッチ９５の作動を周期的かつ継続的に確認しているが、球噛み等の原因によって回転体８３が回転不能となり回転体定位置検出スイッチ９５からの出力信号が３秒以上経過しても確認できない場合にはタイムアウトと判定する判定手段によって異常と判定する。異常と判定されると、大入賞口入賞数表示ＬＥＤ６０に（Ｅ３）と表示されかつエラーフラグに４の値がセットされ、前記レジスタに第４エラータイマのアドレスがセットされて第４エラータイマがカウントするカウント値に基づいて回転体８３の停止後一定時間以上経過した時点すなわち、回転体定位置検出スイッチ９５の最後のパルス信号が途絶えてから３秒以上経過した時点でＣＰＵが機能停止信号を出力し、この機能停止信号によって異常発生時から１〜４秒後に始動入賞装置２８Ａ，２８Ｂ、普通電動役物２２、大入賞装置２５、ゲート２４、特別装置作動領域通過検出スイッチ７６および賞品球払い出しモータ１６ｃの各機能が一斉に停止する。
【００９２】
回転体８３の回転不能状態を修復して異常原因を取除くと、エラーフラグがクリヤされて回転体駆動モータ９２がリセットされ、ＲＡＭが異常状態検出時の状態に復旧して機能停止状態が解除される。
【００９３】
回転体８３が回転不能となって異常と判定されたときに、両始動入賞装置２８Ａ，２８Ｂ、普通電動役物２２、大入賞装置２５、ゲート２４、特別装置作動領域検出スイッチ７６、賞品球払い出しモータ１６ｃのうちの複数の機能を停止させて異常に対処するようにしてもよい。
【００９４】
また、モータ駆動部が回転体駆動モータ９２を停止させる信号を出力してから例えば４秒後に異常と判定してその異常に対処するようにしてもよい。
【００９５】
続いて、上記した構成をもつ実施例の作用と効果を説明する。
本例では可動体付き入賞装置２０の回転体８３の回転不能状態か否かを検出する回転体定位置検出スイッチ９５と、回転体８３の回転不能状態の継続時間をカウントするエラータイマとを設け、回転体８３の回転不能状態が一定時間以上経続すると、特定入賞口入賞検出スイッチ３０ａ、大入賞口入賞検出スイッチ５１、特別装置作動領域通過検出スイッチ７６等の各機能を停止させる機能停止信号が出力されるように構成してある。
【００９６】
このため、回転体８３の回転不能による異常を的確に感知してその異常事態に対処することができ、回転体８３の不正停止時に始動入賞装置２８Ａ，２８Ｂ、ゲート２４が作動したり、特定入賞口２３、大入賞口２６が開放されたり、誤って賞品球が払い出される等の誤動作を排除して回転体の回転不能によって引起こされるトラブルを未然に防止することができる。
【図面の簡単な説明】
【図１】本発明の１実施例を示す遊技盤の正面図である。
【図２】同じく、パチンコ機の正面図である。
【図３】パチンコ機の本体枠の裏面図である。
【図４】遊技盤の裏面図である。
【図５】普通電動役物の正面図である。
【図６】普通電動役物の側断面図である。
【図７】普通電動役物の斜視図である。
【図８】大入賞装置の正面図である。
【図９】大入賞装置の斜視図である。
【図１０】大入賞装置の裏面図である。
【図１１】大入賞装置の側断面図である。
【図１２】可動扉駆動機構の側面図である。
【図１３】可動体付き入賞装置の正面図である。
【図１４】図１３のＸ１−Ｘ１線断面図である。
【図１５】可動体付き入賞装置の分解斜視図である。
【図１６】図１４のＸ２−Ｘ２線矢視図である。
【図１７】回転体定位置検出スイッチおよび連結軸の裏面図である。
【図１８】中央制御回路基板のブロック図である。
【図１９】大入賞口入賞検出スイッチの断線・短絡による異常発生時のフローチャートである。
【図２０】大入賞口入賞検出スイッチの位置ずれによる異常発生時のフローチャートである。
【図２１】賞品球払い出し検出スイッチの断線・短絡による異常発生時のフローチャートである。
【図２２】回転体の回転不能による異常発生時のフローチャートである。
【図２３】回転体の制御態様を示すフローチャートである。
【符号の説明】
３　遊技盤
２０　可動体付き入賞装置
８３　回転体
９５　回転体定位置検出スイッチ
【図１】
2004000666.tif 000003
【図２】
2004000666.tif 000004
【図３】
2004000666.tif 000005
【図４】
2004000666.tif 000006
【図５】
2004000666.tif 000007
【図６】
2004000666.tif 000008
【図７】
2004000666.tif 000009
【図８】
2004000666.tif 000010
【図９】
2004000666.tif 000011
【図１０】
2004000666.tif 000012
【図１１】
2004000666.tif 000013
【図１２】
2004000666.tif 000014
【図１３】
2004000666.tif 000015
【図１４】
2004000666.tif 000016
【図１５】
2004000666.tif 000017
【図１６】
2004000666.tif 000018
【図１７】
2004000666.tif 000019
【図１８】
2004000666.tif 000020
【図１９】
2004000666.tif 000021
【図２０】
2004000666.tif 000022
【図２１】
2004000666.tif 000023
【図２２】
2004000666.tif 000024
【図２３】
2004000666.tif 000025
【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
入賞した入賞球を振り分ける可動体を有する可動体付き入賞装置と、入賞した入賞球を検出する大入賞口入賞検出スイッチを有する大入賞口と、始動口と、賞品球払い出し装置の下方に設置した賞品球払い出し検出スイッチとを備えたパチンコ機であって、
前記可動体，前記大入賞口入賞検出スイッチおよび前記賞品球払い出し検出スイッチのいずれで異常が発生したかによって異なるエラーフラグをセットするフラグセット手段と、
前記エラーフラグのセットにかかる異常状態が一定時間以上継続すると、機能停止信号を出力する信号出力手段とを備え、
前記フラグセット手段によってセットされたエラーフラグの内容と、前記信号出力手段によって出力された機能停止信号とに応じて、機能を停止させる対象が異なる構成としたパチンコ機。
【請求項２】
請求項１に記載したパチンコ機であって、
機能を停止させる対象を始動入賞装置，普通電動役物，大入賞装置，ゲート，領域通過検出スイッチおよび賞品球払い出しモータとしたパチンコ機。
【請求項３】
請求項１または２に記載したパチンコ機であって、
フラグセット手段によってセットされたエラーフラグの内容を表示するエラー表示器を有する遊技機。
【請求項４】
請求項１から３のいずれか一項に記載したパチンコ機であって、
可動体，大入賞口入賞検出スイッチおよび賞品球払い出し検出スイッチのいずれかにかかる異常原因が取除かれると、対応するエラーフラグをクリヤして復旧し、機能停止状態を解除する構成としたパチンコ機。
【手続補正２】
【補正対象書類名】明細書
【補正対象項目名】０００４
【補正方法】変更
【補正の内容】
【０００４】
【課題を解決するための手段】
（１）入賞した入賞球を振り分ける可動体を有する可動体付き入賞装置と、入賞した入賞球を検出する大入賞口入賞検出スイッチを有する大入賞口と、始動口と、賞品球払い出し装置の下方に設置した賞品球払い出し検出スイッチとを備えたパチンコ機であって、
前記可動体，前記大入賞口入賞検出スイッチおよび前記賞品球払い出し検出スイッチのいずれで異常が発生したかによって異なるエラーフラグをセットするフラグセット手段と、前記エラーフラグのセットにかかる異常状態が一定時間以上継続すると、機能停止信号を出力する信号出力手段とを備え、前記フラグセット手段によってセットされたエラーフラグの内容と、前記信号出力手段によって出力された機能停止信号とに応じて、機能を停止させる対象が異なる構成とした。
（２）請求項１に記載したパチンコ機であって、機能を停止させる対象を始動入賞装置，普通電動役物，大入賞装置，ゲート，領域通過検出スイッチおよび賞品球払い出しモータとした。
（３）請求項１または２に記載したパチンコ機であって、フラグセット手段によってセットされたエラーフラグの内容を表示するエラー表示器を有する。
（４）請求項１から３のいずれか一項に記載したパチンコ機であって、可動体，大入賞口入賞検出スイッチおよび賞品球払い出し検出スイッチのいずれかにかかる異常原因が取除かれると、対応するエラーフラグをクリヤして復旧し、機能停止状態を解除する構成とした。
【手続補正３】
【補正対象書類名】明細書
【補正対象項目名】０００５
【補正方法】変更
【補正の内容】
【０００５】
（１）請求項１に記載した発明によれば、エラーフラグの内容と機能停止信号とに応じて、機能を停止させる対象が異なる。
（２）請求項２に記載した発明によれば、機能を停止させる対象を、入賞や払い出しに関する装置等とした。
（３）請求項３に記載した発明によれば、エラー表示器によってエラーフラグの内容を認識できる。
（４）請求項４に記載した発明によれば、異常原因が取除かれれば機能停止状態を維持する必要もないので、異常原因が取除かれた装置等にかかるエラーフラグをクリヤして復旧し、機能停止状態を解除する。
【手続補正４】
【補正対象書類名】明細書
【補正対象項目名】００８０
【補正方法】変更
【補正の内容】
【００８０】
大入賞口入賞数表示ＬＥＤ６０は、大入賞口入賞検出スイッチ５１が断線、短絡および位置ずれによって異常となり、ＲＡＭのエラーフラグの値が１および２となったときには（Ｅ１）を点灯表示し、賞品球払い出し検出スイッチ１６ａが断線、短絡によって異常となってエラーフラグの値が３となったときに（Ｅ２）を点灯表示し、また、回転体が回転不能となってエラーフラグの値が４となったときに（Ｅ３）を点灯表示する。当該大入賞口入賞数表示ＬＥＤ６０は、エラーフラグの内容を表示する点でエラー表示器に相当する。
【手続補正５】
【補正対象書類名】明細書
【補正対象項目名】００８４
【補正方法】変更
【補正の内容】
【００８４】
大入賞口入賞検出スイッチ５１の断線、短絡による異常発生時にはＲＡＭのエラーフラグに１の値がセットされ、大入賞口検出スイッチ５１の位置ずれによる異常発生時にはエラーフラグに２の値がセットされ、賞品球払い出し検出スイッチ１６ａの断線、短絡、位置ずれによる異常発生時にはエラーフラグに３の値がセットされ、回転体駆動モータ９２の回転不能による異常発生時にはエラーフラグに４の値がセットされる。このようにどの装置等で異常が発生したかによって異なるエラーフラグをセットするのは、フラグセット手段に相当する。
【手続補正６】
【補正対象書類名】明細書
【補正対象項目名】００８５
【補正方法】変更
【補正の内容】
【００８５】
大入賞口入賞検出スイッチ５１の断線、短絡状態が２秒以上続くと、異常と判定されてエラーフラグに１の値がセットされ、ＲＡＭの特定のレジスタに第１エラータイマのアドレスがセットされて第１エラータイマのカウント値に基づいて大入賞口２６の開放前、開放後共に異常発生時から２秒経過した時点で第２エアータイマのカウント数に基づいてＣＰＵが機能停止信号を出力する。当該ＣＰＵは、エラーフラグのセットにかかる異常状態が一定時間以上継続したときに異常と判定して機能停止信号を出力する点で信号出力手段に相当する。